(57)【要約】【課題】頭髪への装着が容易であり、かつ、頭髪の間から脱落しにくい上、長期間に亘って装着された場合でも頭髪を傷めることのない実用的な装飾用髪止め具を提供する。【解決手段】装飾用髪止め具１は、金属製の針金を所定の間隔でジグザクに折り曲げ形成してなる第一髪把持線条４ａ，４ａと、金属製の針金からなり先端以外に屈曲点を有さない第二髪把持線条４ｂ，４ｂ・・とを基端側で連結することによって、髪保持体２が形成されている。そして、各第一髪把持線条４ａ，４ａの左右両側に第二髪把持線条４ｂ，４ｂ・・が位置した状態になっている。また、髪保持体２の基端には、装飾体５，５・・を鏤めた装飾部３が設けられている。【選択図】図１
0003139083.tif 000002
【実用新案登録請求の範囲】
【請求項１】
頭髪を纏めた状態で保持するための髪保持体と、髪保持体の基端に固着された装飾部とを有する装飾用髪止め具であって、
前記髪保持体が、金属製の針金を所定の間隔でジグザクに折り曲げ形成してなる第一の髪把持線条と、金属製の針金からなり先端以外に屈曲点を有さない第二の髪把持線条とを基端側で連結することによって形成されており、
第一の髪把持線条の左右両側に第二の髪把持線条が位置していることを特徴とする装飾用髪止め具。
【請求項２】
各髪把持線条が長手方向に沿った鉛直面における外側に突出するように円弧状に屈曲しているとともに、幅方向における外側に位置した髪把持線条の方が、幅方向における内側に位置した髪把持線条よりも下側に位置していることを特徴とする請求項１に記載の装飾用髪止め具。
【請求項３】
各髪把持線条の先端が略同一面内において外向きに折り曲げられていることを特徴とする請求項１、または請求項２に記載の装飾用髪止め具。
【請求項４】
髪保持体が各髪把持線条同士を溶接することによって形成されていることを特徴とする請求項１〜３のいずれかに記載の装飾用髪止め具。
【考案の詳細な説明】
【技術分野】
【０００１】
本考案は、頭髪を纏めた状態で保持するための髪止め具に関するものであり、詳しくは、頭髪を装飾するための装飾部分を有する装飾用髪止め具に関するものである。
【背景技術】
【０００２】
従来の装飾用髪止め具としては、頭髪を任意の形状に纏めた状態で保持するための髪保持部の基端に装飾部材を設けたものが知られている。また、従来の装飾用髪止め具の中には、特許文献１の如く、複数の棒状の櫛歯を平行に並べることによって髪保持部を形成したものが多いが、纏めた頭髪の間から脱落しないようにするために、左右に鋸刃状の凹凸を設けた刀身状の櫛歯を平行に並べることによって髪保持部を形成した装飾用髪止め具も考案されている（特許文献２）。
【０００３】
【特許文献１】特開平９−２９９１３１号公報
【特許文献２】実用新案登録第３１１４６２２号公報
【考案の開示】
【考案が解決しようとする課題】
【０００４】
しかしながら、上記特許文献２の如く、各櫛歯に鋸刃状の凹凸を設けた装飾用髪止め具は、頭髪の間から脱落しにくい半面、各櫛歯に設けられた鋸刃状の凹凸により、各櫛歯を頭髪内に差し込みにくいため（各櫛歯間に頭髪を挿入させにくいため）、装着に手間がかかる、という不具合がある。その上、各櫛歯に設けられた鋸刃状の凹凸により、頭髪が傷み易く、長期間に亘って頭髪に装着された場合には、その傾向がより顕著なものとなってしまう。
【０００５】
本考案の目的は、上記従来の装飾用髪止め具が有する問題点を解消し、頭髪への装着が容易であり、かつ、頭髪の間から脱落しにくい上、長期間に亘って装着された場合でも頭髪を傷めることのない実用的な装飾用髪止め具を提供することにある。
【課題を解決するための手段】
【０００６】
かかる本考案の内、請求項１に記載された考案は、頭髪を纏めた状態で保持するための髪保持体と、髪保持体の基端に固着された装飾部とを有する装飾用髪止め具であって、前記髪保持体が、金属製の針金を所定の間隔でジグザクに折り曲げ形成してなる第一の髪把持線条と、金属製の針金からなり先端以外に屈曲点を有さない第二の髪把持線条とを基端側で連結することによって形成されており、第一の髪把持線条の左右両側に第二の髪把持線条が位置していることを特徴とするものである。
【０００７】
請求項２に記載された考案は、請求項１に記載された考案において、各髪把持線条が長手方向に沿った鉛直面における外側に突出するように円弧状に屈曲しているとともに、幅方向における外側に位置した髪把持線条の方が、幅方向における内側に位置した髪把持線条よりも下側に位置していることを特徴とするものである。
【０００８】
請求項３に記載された考案は、請求項１、または請求項２に記載された考案において、各髪把持線条（髪把持線条が奇数である場合には、中央の髪把持線条以外の髪把持線条）の先端が略同一面内において外向きに折り曲げられていることを特徴とするものである。
【０００９】
請求項４に記載された考案は、請求項１〜３のいずれかに記載された考案において、髪保持体が各髪把持線条同士を溶接することによって形成されていることを特徴とするものである。
【考案の効果】
【００１０】
請求項１に記載された装飾用髪止め具は、基端側を把持した状態で、各髪把持線条を頭髪の間にスムーズに差し込むことができるので、非常に装着し易い。その上、各髪把持線条同士の間に入り込んだ頭髪を高い拘束力で把持することができるため、頭髪の間から脱落しにく上、長期間に亘って頭髪を任意の形状に纏めた状態で保持することができる。さらに、各髪把持線条が、鋭利な凹凸を有していないので、長期間に亘って装着された場合でも、頭髪が傷んだりしない。
【００１１】
請求項２に記載された装飾用髪止め具は、各髪把持線条によって凸状の球面が形成されるので、頭髪に装着した場合に良好なフィット感を得ることができる。
【００１２】
請求項３に記載された装飾用髪止め具は、髪把持線条の先端同士の間から基端側へ非常にスムーズに頭髪が挿入されるので、頭髪への装着がきわめて容易である。その上、各髪把持線条が頭皮に垂直に押し当てられる頻度が少ないので、頭髪への装着時に痛みや不快感を感じたりしない。
【００１３】
請求項４に記載された装飾用髪止め具は、髪保持体が各髪把持線条同士を溶接することによって形成されているため、安価かつ容易に製造することができる。
【考案を実施するための最良の形態】
【００１４】
以下、本考案の装飾用髪止め具の一実施形態を、図面にしたがって詳細に説明する。図１、図２は、それぞれ、装飾用髪止め具の正面図、斜視図であり、装飾用髪止め具１は、頭髪を纏めた状態で保持するための髪保持体２と、髪保持体２の基端に固着された装飾部３とによって構成されている。
【００１５】
図３〜図５は、それぞれ、髪保持体２の正面図、左側面図、底面図である。髪保持体２は、鉄条をロジウムでメッキしてなる太さが約２．５ｍｍの円柱状の複数の針金を、所定の形状に折り曲げて、溶接することによって形成されている。そして、先端以外に屈曲点を有さない第二髪把持線条４ｂ（第二の髪把持線条）が中央に位置しており、その第二髪把持線条４ｂの外側に、所定の間隔でジグザク状に折り曲げられた第一髪把持線条４ａ，４ａ（第一の髪把持線条）が設けられており、さらに、それらの第一髪把持線条４ａ，４ａの外側に、それぞれ、先端以外に屈曲点を有さない第二髪把持線条４ｂ，４ｂが設けられている。
【００１６】
かかる髪保持体２は、長さ約１０４ｍｍ×幅約８２ｍｍの大きさを有しており、隣接する髪把持線条同士の間隔（第一髪把持線条４ａと第二髪把持線条４ｂとの間隔）が、基端から先端にかけて次第に幅狭になっている。また、第一髪把持線条４ａ，４ａの方が、中央に位置した第二髪把持線条４ｂよりも下側に配置され、外側（幅方向における外側）に位置した第二髪把持線条４ｂ，４ｂの方が、第一髪把持線条４ａ，４ａよりも下側に配置された状態になっている。さらに、第一髪把持線条４ａ，４ａの基端の方が、外側（幅方向における外側）に位置した第二髪把持線条４ｂ，４ｂの基端よりも外側（長手方向における外側）に突出し、中央の第二髪把持線条４ｂの基端の方が、第一髪把持線条４ａ，４ａの基端よりも外側（長手方向における外側）に突出した状態になっている。
【００１７】
中央の第二髪把持線条４ｂは、屈曲点が形成されておらず、全体（基端から先端まで）が長手方向に沿った鉛直面において外側に突出するように円弧状に屈曲した状態になっている（図４参照）。
【００１８】
また、各第一髪把持線条４ａ，４ａは、中央の第二髪把持線条４ｂを中心に左右対称に設けられており、長手方向に沿った鉛直面において、外側（上側）に突出するように円弧状に屈曲した状態になっている（図４参照）。そして、基端際以外の部分が、約１０ｍｍの間隔で、外向き（図３における中心線Ａ−Ａに対して外向き）、内向き、外向き・・・の順に７回に亘って交互に折り曲げられており（谷折りと山折りが連続するようにジグザグに折り曲げられており）、隣り合った折り曲げ部分同士（外向きの折り曲げ部分と内向きの折り曲げ部分）が約１５０度の角度を成した状態になっている（図３参照）。そして、各第一髪把持線条４ａ，４ａに、それぞれ、外向きに凸状の３つの第一髪係止屈曲部７，７・・が形成された状態になっている。また、各第一髪把持線条４ａ，４ａの最先端の部分は、外向き（幅方向における外向き）に折り曲げられた状態になっている。
【００１９】
また、外側（幅方向における外側）の各第二髪把持線条４ｂ，４ｂも、中央の第二髪把持線条４ｂと同様に、屈曲点が形成されていない（先端以外に形成されていない）。さらに、各第一髪把持線条４ａ，４ａと同様に、中央の第二髪把持線条４ｂを中心に左右対称に設けられており、長手方向に沿った鉛直面において、外側（上向き）に突出するように円弧状に屈曲した状態になっている（図４参照）。加えて、外側（幅方向における外側）の各第二髪把持線条４ｂ，４ｂの最先端の部分は、各第一髪把持線条４ａ，４ａと同様に、外向き（幅方向における外向き）に折り曲げられた状態になっている。
【００２０】
上記した髪保持体２は、長手方向の中心線（図３におけるＡ−Ａ線）に対して、左右対称な形状になっている。また、第一髪把持線条４ａ，４ａおよび第二髪把持線条４ｂ，４ｂ・・が、鉛直面において外側（上側）に突出するように円弧状に屈曲しているとともに、第一髪把持線条４ａ，４ａの方が中央の第二髪把持線条４ｂよりも下側に位置し、外側（幅方向における外側）の各髪把持線条４ｂ，４ｂの方が第一髪把持線条４ａ，４ａよりも下側に位置していることによって、第一髪把持線条４ａ，４ａおよび第二髪把持線条４ｂ，４ｂ・・が単一な球面（図４、図５におけるＳ）を形成した状態になっている。加えて、第一髪把持線条４ａ，４ａおよび第二髪把持線条４ｂ，４ｂ・・の表面側（凸状に形成されている側）には、マット加工（表面を粗くする加工）が施されており、ロジウムメッキが部分的に剥離した状態になっている（したがって、そのロジウムメッキが剥離した部分は、他の部分と異なる金属色を呈した状態になっている）。
【００２１】
一方、装飾部３は、複数の装飾体（ガラス等によって形成された模造宝石等）５，５・・と、それらの装飾体５，５・・を支持するための支持台６とによって構成されている。支持台６は、第一髪把持線条４ａ，４ａや第二髪把持線条４ｂ，４ｂ・・と同様に、鉄によって形成されており、表面がロジウムによってメッキされている。それゆえ、第一髪把持線条４ａ，４ａや第二髪把持線条４ｂ，４ｂ・・と同色になっている。また、支持台６の表面には、装飾体５，５・・を接着するための平坦部分（図示せず）が多数形成されており、それらの平坦部分に装飾体５，５・・が接着された状態になっている。そして、そのように装飾体５，５・・を鏤めた支持台６は、裏側の部分が第一髪把持線条４ａ，４ａおよび第二髪把持線条４ｂ，４ｂ・・の基端の表面側（凸状に形成されている側）の円弧状に屈曲した部分に溶接されることによって、髪保持体２と一体になっている。
【００２２】
上記の如く構成された装飾用髪止め具１の使用態様の一例について説明する。たとえば、後部の頭髪を上方に巻き上げた所謂「夜会巻き」状態で保持したい場合には、まず、頭髪を一つに束ね、その束ねた頭髪を回転させながら根元から毛先に至るまで十分に捻り上げる。さらに、装飾用髪止め具１を裏返しに把持して、第一髪把持線条４ａ，４ａおよび第二髪把持線条４ｂ，４ｂ・・を、捻り上げた頭髪内に、毛先側から側根元側まで十分に差し込む。しかる後、第一髪把持線条４ａ，４ａおよび第二髪把持線条４ｂ，４ｂ・・の先端位置をできるだけずらさないようにしながら装飾部３を持ち上げるようにして、装飾用髪止め具１を表向きにひっくり返す。そして、最後に、第一髪把持線条４ａ，４ａおよび第二髪把持線条４ｂ，４ｂ・・を、再度、捻り上げた頭髪内に、毛先側から根元側まで十分に差し込むことによって装飾用髪止め具１の頭髪への装着を完了する。そのように第一髪把持線条４ａ，４ａおよび第二髪把持線条４ｂ，４ｂ・・が頭髪内に差し込まれると、第一髪把持線条４ａと第二髪把持線条４ｂとの間に入り込んだ頭髪が適度な拘束力で把持されて、後部の頭髪が上方に巻き上げられた「夜会巻き」状態で強固に保持される。
【００２３】
装飾用髪止め具１は、上記の如く、金属製の針金を所定の間隔でジグザクに折り曲げ形成してなる第一髪把持線条４ａ，４ａと、金属製の針金からなり先端以外に屈曲点を有さない第二髪把持線条４ｂ，４ｂ・・とを基端側で連結することによって、髪保持体２形成されており、第一髪把持線条４ａ，４ａの左右両側に第二髪把持線条４ｂ，４ｂ・・が位置している。したがって、基端側を把持した状態で各髪把持線条（第一髪把持線条４ａ，４ａおよび第二髪把持線条４ｂ，４ｂ・・）を頭髪の間にスムーズに差し込むことができるので、非常に装着し易い。また、各髪把持線条同士の間（第一髪把持線条４ａと第二髪把持線条４ｂとの間）に入り込んだ頭髪を高い拘束力で把持できるので、頭髪の間から脱落しにく上、長期間に亘って頭髪を任意の形状に纏めた状態で保持することができる。さらに、各髪把持線条（第一髪把持線条４ａ，４ａおよび第二髪把持線条４ｂ，４ｂ・・）が、鋭利な凹凸を有していないので、長期間に亘って装着された場合でも、頭髪が傷んだりしない。
【００２４】
また、装飾用髪止め具１は、隣接する髪把持線条同士の間隔（第一髪把持線条４ａと第二髪把持線条４ｂとの間隔）が、基端から先端にかけて次第に幅狭になっているため、髪把持線条同士の間に入り込んだ頭髪が抜けにくいので、頭髪の形状を保持する機能がきわめて良好である。
【００２５】
また、装飾用髪止め具１は、第一髪把持線条４ａ，４ａおよび第二髪把持線条４ｂ，４ｂ・・が長手方向に沿った鉛直面における外側に突出するように円弧状に屈曲しているとともに、幅方向における外側に位置した第二髪把持線条４ｂ，４ｂの方が、幅方向における内側に位置した第一髪把持線条４ａ，４ａよりも下側に位置しており、第一髪把持線条４ａ，４ａおよび第二髪把持線条４ｂ，４ｂ・・によって単一な凸状の球面（図４、図５におけるＳ）が形成されているので、頭髪に装着した場合に良好なフィット感を得ることができる。
【００２６】
さらに、装飾用髪止め具１は、第一髪把持線条４ａ，４ａ、および、中央の第二髪把持線条４ｂを除いた左右の第二髪把持線条４ｂ，４ｂの先端が、いずれも略同一面内において外向きに折り曲げられているため、第一髪把持線条４ａ，４ａと第二髪把持線条４ｂとの間から基端側へ非常にスムーズに頭髪が挿入されるので、頭髪への装着がきわめて容易である。その上、第一髪把持線条４ａ，４ａおよび第二髪把持線条４ｂ，４ｂ・・が頭皮に垂直に押し当てられる頻度が少ないので、頭髪への装着時に痛みや不快感を感じたりしない。
【００２７】
加えて、装飾用髪止め具１は、髪保持体２が第一髪把持線条４ａ，４ａと第二髪把持線条４ｂ，４ｂ・・とを溶接することによって形成されているため、安価かつ容易に製造することができる。
【００２８】
なお、本考案の装飾用髪止め具の構成は、上記した実施の形態に何ら限定されるものではなく、髪保持体や装飾部の材質、形状、構造等の構成を、本考案の趣旨を逸脱しない範囲内で適宜変更することができる。
【００２９】
たとえば、本考案の装飾用髪止め具は、上記実施形態の如く、５本の髪把持線条を有するものに限定されず、４本以下のものや、図６の如く、６本以上の髪把持線条を有するものに変更することも可能である。
【００３０】
また、本考案の装飾用髪止め具は、上記実施形態の如く、髪保持体の各髪把持線条を連結した基端部がフラットなもの（髪把持線条と同一の球面を成しているもの）に限定されず、図７、図８の如く、各髪把持線条を連結した基端部が、外向き（長手方向に沿った鉛直面における外向き、すなわち、頭髪に装着した場合において頭部に対して外向き）に折り返された形状を有するものでも良い。かかる構成を採用した場合には、髪保持体の基端側が一層把持し易いものとなり、きわめて容易に装着できるものとなる。
【００３１】
さらに、各髪把持線条や支持台の材質は、鉄に限定されず、チタン、銅、アルミニウムやステンレス等の別の金属に変更することも可能である。加えて、表面にメッキする金属も、ロジウムに限定されず、ニッケルや銅等に変更することが可能である。なお、上記実施形態の如く、各髪把持線条や支持台を、表面をロジウムメッキした鉄によって形成した場合には、金属アレルギーの使用者が使用してもアレルギー反応が出にくい、というメリットがある。
【００３２】
また、各髪把持線条を形成する針金（円柱状のものが好ましいが、それに限定されない）の径は、各髪把持線条の材質等に応じて適宜変更することができ、場合によっては、所定の位置の髪把持線条の径を他の髪把持線条の径と異ならせる（たとえば、第一髪把持線条の径を第二髪把持線条の径よりも大きくしたり小さくしたりする）ことも可能である。
【００３３】
また、第一髪把持線条に形成するジグザグな折り曲げのピッチは、上記実施形態の如き１０ｍｍピッチに限定されず、必要に応じて適宜変更することが可能である。さらに、折り曲げの個数は、上記実施形態の如き７個に限定されず、適宜変更することが可能である。加えて、折り曲げ度合いも、上記実施形態の如く、隣り合った折り曲げ部分同士が約１５０度を成すような態様に限定されず、隣り合った折り曲げ部分同士が１２０度以上１６０度以下の角度を成す範囲内で、必要に応じて適宜変更することができる。なお、上記実施形態の如く、第一髪把持線条の折り曲げのピッチを約１０ｍｍ間隔とし、折り曲げの個数を７個とするとともに、隣り合った折り曲げ部分同士が１２０度以上１６０度以下の角度を成すように折り曲げた場合には、一対の第一髪把持線条の間や第一髪把持線条と第二髪把持線条との間に入り込んだ頭髪の拘束力が高すぎたり低すぎたりせず、非常にバランスの良いものとなり、装飾用髪止め具の使用感がきわめて良好なものとなる、というメリットがある。
【００３４】
加えて、装飾部は、支持台に模造宝石を鏤めたものに限定されず、本物の宝石を取り付けたものや、造花等を取り付けたもの等に変更することも可能である。加えて、装飾部の形状は、必要に応じて適宜変更することができる。
【産業上の利用可能性】
【００３５】
本考案の装飾用髪止め具は、上記の如く優れた機能を奏するものであるので、頭髪の装飾目的を兼ねた髪止め部材として好適に用いることができる。
【図面の簡単な説明】
【００３６】
【図１】装飾用髪止め具の正面図である。
【図２】装飾用髪止め具の斜視図である。
【図３】髪保持体の正面図である。
【図４】髪保持体の左側面図である。
【図５】髪保持体の底面図である。
【図６】髪保持体の変更例を示したものである（ａは正面図であり、ｂは左側面図であり、ｃは底面図である）。
【図７】髪保持体の変更例を示したものである（ａは正面図であり、ｂは左側面図であり、ｃは底面図である）。
【図８】髪保持体の変更例を示したものである（ａは正面図であり、ｂは左側面図であり、ｃは底面図である）。
【符号の説明】
【００３７】
１・・装飾用髪止め具、２，１２，２２，３２・・髪保持体、３・・装飾部、４ａ・・第一髪把持線条（第一の髪把持線条）、４ｂ・・第二髪把持線条（第二の髪把持線条）。
【図１】
0003139083.tif 000003
【図２】
0003139083.tif 000004
【図３】
0003139083.tif 000005
【図４】
0003139083.tif 000006
【図５】
0003139083.tif 000007
【図６】
0003139083.tif 000008
【図７】
0003139083.tif 000009
【図８】
0003139083.tif 000010